(57)【要約】【課題】複数の通信方式に対応した共用アンテナを用いた上で、各通信方式による通信をあわせて行なう。【解決手段】まず、ダイバシティ機能を有するワイヤレスＬＡＮをアンテナ選択にかかる優先度が高い通信方式として設定し、ブルートゥースをアンテナ選択にかかる優先度が低い通信方式として設定する。ＬＡＮ用スイッチおよびＢＴ用スイッチがともに操作されて、ワイヤレスＬＡＮによる通信機能の動作状態、および、ブルートゥースによる通信機能の動作状態がともにオン状態となると、スイッチ２３は、周囲の通信環境に応じて、アンテナ２１，２２のうち１つをＬＡＮ用ＲＦ部２４と接続する。この接続を行なうと、ＢＴ用ＲＦ部２６と接続するアンテナは、ＬＡＮ用ＲＦ部２４と接続されていないアンテナとなる。【選択図】      図３
2006186865.tif 000002
【特許請求の範囲】
【請求項１】
複数のアンテナと、
前記複数のアンテナのうちのいずれかと接続されることで、電波の受信状態に応じたアンテナ切り替え機能を有する第１の通信方式による無線通信を行なう第１の無線通信手段と、
前記複数のアンテナのうちのいずれかと接続されることで、前記第１の通信方式と異なる第２の通信方式による無線通信を行なう第２の無線通信手段と、
前記第１の無線通信手段および前記第２の無線通信手段のうちの何れかの無線通信手段が前記複数のアンテナのうちの何れかのアンテナに先に接続されるかの優先順位を設定する設定手段と、
前記設定手段によって設定された優先順位に基づいて、前記複数のアンテナのうちの何れかのアンテナと優先順位が高い無線通信手段とを接続し、前記複数のアンテナのうちの前記優先順位が高い無線通信手段と接続されていないアンテナと優先順位が低い無線通信手段とを接続する接続手段と、
を備えたことを特徴とする電子機器。
【請求項２】
前記第１の無線通信手段および第２の無線通信手段は同一の基板上に実装されることを特徴とする請求項１に記載の電子機器。
【請求項３】
前記第１および第２の通信制御手段が通信対象の信号の通信を行なっているか否かを判別する判別手段をさらに備え、
前記接続手段は、前記第１および第２の無線通信方式による通信をともに行なう際に、前記判別手段による判別の結果、前記第１および第２の通信制御手段がともに信号の通信を行なっていない場合に、前記複数のアンテナのうちの何れかのアンテナと前記優先順位が高い無線通信手段とを接続し、かつ、前記優先順位が高い無線通信手段と接続されていない、前記複数のアンテナのうちの何れかのアンテナと前記第２の無線通信手段とを接続することを特徴とする請求項１に記載の電子機器。
【請求項４】
複数のアンテナと、
前記複数のアンテナのいずれかと接続されることで、電波の受信状態に応じたアンテナ切り替え機能を有する第１の通信方式による無線通信を行なう第１の無線通信手段と、
前記複数のアンテナのいずれかと接続されることで、前記第１の通信方式と異なる第２の通信方式による無線通信を行なう第２の無線通信手段と、
前記それぞれのアンテナによる電波の受信状態を比較することで、電波の受信状態のよいアンテナを判別する判別手段と、
第１および第２の無線通信方式による通信をともに行なう際に、前記第１の無線通信手段を、第２の無線通信手段より優先して、前記複数のアンテナのうち、前記判別手段により電波の受信状態がよいと判別されたアンテナと接続し、かつ、前記複数のアンテナのうち前記第１の無線通信手段と接続されていないアンテナと前記第２の無線通信手段とを接続する接続手段と
を備えたことを特徴とする電子機器。
【請求項５】
前記判別手段は、前記それぞれのアンテナからの信号のＳ／Ｎ比を比較することで信号のＳ／Ｎ比が高いアンテナを判別し、
前記接続手段は、第１および第２の無線通信方式による通信をともに行なう際に、前記第１の無線通信手段を、前記第２の無線通信手段に優先して、前記複数のアンテナのうち、信号のＳ／Ｎ比が高いと判別されたアンテナと接続し、かつ、前記複数のアンテナのうち前記第１の無線通信手段と接続されていないアンテナと前記第２の無線通信手段とを接続する
ことを特徴とする請求項４に記載の電子機器。
【請求項６】
前記判別手段は、前記それぞれのアンテナからの信号のエラー頻度を比較することで信号のエラー頻度が低いアンテナを判別し、
前記接続手段は、第１および第２の無線通信方式による通信をともに行なう際に、前記第１の無線通信手段を、前記第２の無線通信手段に優先して、前記複数のアンテナのうち、信号のエラー頻度が低いと判別されたアンテナと接続し、かつ、前記複数のアンテナのうち前記第１の無線通信手段と接続されていないアンテナと前記第２の無線通信手段とを接続する
ことを特徴とする請求項４に記載の電子機器。
【請求項７】
前記アンテナの数は少なくとも３つであり、
前記第２の無線通信手段の数は、複数かつ前記アンテナの数より１以上少ない数であり、それぞれが、前記第１の通信方式と異なる個別の通信方式による通信を行ない、
前記接続手段は、
前記第１の通信方式を含む３種類以上の通信方式による通信をあわせて実行する際に、前記アンテナのうちいずれかと第１の無線通信手段とを接続し、かつ、前記アンテナのうち前記第１の無線通信手段と接続されていないアンテナと前記実行する通信の通信方式に対応する前記第２の無線通信手段とを１対１で接続する
ことを特徴とする請求項４に記載の電子機器。
【請求項８】
複数のアンテナと、前記複数のアンテナのうちのいずれかと接続されることで、電波の受信状態に応じたアンテナ切り替え機能を有する第１の通信方式による無線通信を行なう第１の無線通信手段と、前記複数のアンテナのうちのいずれかと接続されることで、前記第１の通信方式と異なる第２の通信方式による無線通信を行なう第２の無線通信手段とを備えた電子機器の通信制御を行なう通信制御方法であって、
前記第１の無線通信手段および前記第２の無線通信手段のうちの何れかの無線通信手段が前記複数のアンテナのうちの何れかのアンテナに先に接続されるかの優先順位を設定する設定ステップと、
前記設定ステップによって設定された優先順位に基づいて、前記複数のアンテナのうちの何れかのアンテナと優先順位が高い無線通信手段とを接続し、前記複数のアンテナのうちの前記優先順位が高い無線通信手段と接続されていないアンテナと優先順位が低い無線通信手段とを接続する接続ステップと
を有したことを特徴とする通信制御方法。
【請求項９】
前記第１および第２の通信制御手段が通信対象の信号の通信を行なっているか否かを判別する判別ステップをさらに有し、
前記接続ステップは、前記第１および第２の無線通信方式による通信をともに行なう際に、前記判別ステップによる判別の結果、前記第１および第２の通信制御手段がともに信号の通信を行なっていない場合に、前記複数のアンテナのうちの何れかのアンテナと前記優先順位が高い無線通信手段とを接続し、かつ、前記優先順位が高い無線通信手段と接続されていない、前記複数のアンテナのうちの何れかのアンテナと前記第２の無線通信手段とを接続する
ことを特徴とする請求項８に記載の通信制御方法。
【請求項１０】
複数のアンテナと、前記複数のアンテナのいずれかと接続されることで、電波の受信状態に応じたアンテナ切り替え機能を有する第１の通信方式による無線通信を行なう第１の無線通信手段と、前記複数のアンテナのいずれかと接続されることで、前記第１の通信方式と異なる第２の通信方式による無線通信を行なう第２の無線通信手段とを備えた電子機器の通信制御を行なう通信制御方法であって、
前記それぞれのアンテナによる電波の受信状態を比較することで、電波の受信状態のよいアンテナを判別する判別ステップと、
第１および第２の無線通信方式による通信をともに行なう際に、前記第１の無線通信手段を、第２の無線通信手段より優先して、前記複数のアンテナのうち、前記判別ステップにより電波の受信状態がよいと判別されたアンテナと接続し、かつ、前記複数のアンテナのうち前記第１の無線通信手段と接続されていないアンテナと前記第２の無線通信手段とを接続する接続ステップと
を有したことを特徴とする通信制御方法。
【請求項１１】
前記判別ステップは、前記それぞれのアンテナからの信号のＳ／Ｎ比を比較することで信号のＳ／Ｎ比が高いアンテナを判別し、
前記接続ステップは、第１および第２の無線通信方式による通信をともに行なう際に、前記第１の無線通信手段を、前記第２の無線通信手段に優先して、前記複数のアンテナのうち、信号のＳ／Ｎ比が高いと判別されたアンテナと接続し、かつ、前記複数のアンテナのうち前記第１の無線通信手段と接続されていないアンテナと前記第２の無線通信手段とを接続する
ことを特徴とする請求項１０に記載の通信制御方法。
【請求項１２】
前記判別ステップは、前記それぞれのアンテナからの信号のエラー頻度を比較することで信号のエラー頻度が低いアンテナを判別し、
前記接続ステップは、第１および第２の無線通信方式による通信をともに行なう際に、前記第１の無線通信手段を、前記第２の無線通信手段に優先して、前記複数のアンテナのうち、信号のエラー頻度が低いと判別されたアンテナと接続し、かつ、前記複数のアンテナのうち前記第１の無線通信手段と接続されていないアンテナと前記第２の無線通信手段とを接続する
ことを特徴とする請求項１０に記載の通信制御方法。
【請求項１３】
前記電子機器のアンテナの数は少なくとも３つであり、
前記電子機器の第２の無線通信手段の数は、複数かつ前記アンテナの数より１以上少ない数であり、それぞれが、前記第１の通信方式と異なる個別の通信方式による通信を行ない、
前記接続ステップは、
前記第１の通信方式を含む３種類以上の通信方式による通信をあわせて実行する際に、前記アンテナのうちいずれかと第１の無線通信手段とを接続し、かつ、前記アンテナのうち前記第１の無線通信手段と接続されていないアンテナと前記実行する通信の通信方式に対応する前記第２の無線通信手段とを１対１で接続する
ことを特徴とする請求項１０に記載の通信制御方法。
【発明の詳細な説明】
【技術分野】
【０００１】
本発明は、例えばノート型パーソナルコンピュータなどの、無線通信機能を有する電子機器および通信制御方法に関する。
【背景技術】
【０００２】
従来、例えばノート型パーソナルコンピュータ（ノートＰＣ）などの、通信機能を有する電子機器では、例えば無線ＬＡＮ（ワイヤレスＬＡＮ）やＢｌｕｅｔｏｏｔｈなどの複数の通信方式による無線通信機能を備えたものがある。これらの通信方式のうち、無線ＬＡＮが、通信環境に応じて、使用するアンテナを切り換える機能であるダイバシティ（Ｄｉｖｅｒｓｉｔｙ）機能を用いている場合には、当該無線ＬＡＮによる良好な通信を行なうために、無線ＬＡＮ用の２本以上のアンテナでなるダイバシティアンテナを実装した上で、通信環境に応じて使用対象のアンテナを切り換える。
【０００３】
また、Ｂｌｕｅｔｏｏｔｈによる通信を行なうためには、無線ＬＡＮ用の２本のアンテナとは別に、Ｂｌｕｅｔｏｏｔｈ用の１本のアンテナを実装する。つまり、ダイバシティ機能を用いた無線ＬＡＮおよびＢｌｕｅｔｏｏｔｈによる通信をそれぞれ行なうためには、合計３本のアンテナを必要とする。
【０００４】
これら３本のアンテナを機器に実装するにはスペース上の制約が多く、また、アイソレーションの確保も困難である。そこで、例えば特許文献１に開示されたように、無線ＬＡＮ専用のアンテナを１本、さらに、無線ＬＡＮおよびＢｌｕｅｔｏｏｔｈのいずれにも対応する共用アンテナを１本実装することで、アンテナの数を減らしたものがある。
【０００５】
このような機器において、ダイバシティ機能を用いた無線ＬＡＮによる通信を行なう場合には、通信環境に応じて、無線ＬＡＮによる通信に使用するアンテナを、無線ＬＡＮ専用のアンテナおよび共用アンテナの間で切り換える。また、Ｂｌｕｅｔｏｏｔｈによる通信を行なう場合には、共用アンテナをＢｌｕｅｔｏｏｔｈ用のアンテナとして使用する。
【特許文献１】特開２００２−７３２１０号公報
【発明の開示】
【発明が解決しようとする課題】
【０００６】
しかしながら、前述した特許文献１に開示された機器では、Ｂｌｕｅｔｏｏｔｈによる通信を行なう際に使用できるアンテナは２本のアンテナのうち１本の共用アンテナに固定されてしまう。よって、ダイバシティ機能を用いた無線ＬＡＮによる通信、および、Ｂｌｕｅｔｏｏｔｈによる通信をともに行なおうとしても、これらの通信を維持しながら、無線ＬＡＮによる通信に用いるアンテナを通信環境に応じて切り換えることはできない。
【０００７】
そこで、本発明の目的は、複数の通信方式に対応した共用アンテナを用いた上で、各通信方式による通信をあわせて行なうことが可能な電子機器および通信制御方法を提供することにある。
【課題を解決するための手段】
【０００８】
すなわち、本発明に係わる電子機器は、複数のアンテナと、これら複数のアンテナのうちのいずれかと接続されることで、電波の受信状態に応じたアンテナ切り替え機能を有する第１の通信方式による無線通信を行なう第１の無線通信手段と、複数のアンテナのうちのいずれかと接続されることで、第１の通信方式と異なる第２の通信方式による無線通信を行なう第２の無線通信手段とを備え、第１の無線通信手段および第２の無線通信手段のうちの何れかの無線通信手段が複数のアンテナのうちの何れかのアンテナに先に接続されるかの優先順位を設定し、この設定された優先順位に基づいて、複数のアンテナのうちの何れかのアンテナと優先順位が高い無線通信手段とを接続し、複数のアンテナのうちの優先順位が高い無線通信手段と接続されていないアンテナと優先順位が低い無線通信手段とを接続することを特徴とする。
【発明の効果】
【０００９】
本発明に係わる電子機器では、複数のアンテナと、これら複数のアンテナのうちのいずれかと接続されることで、電波の受信状態に応じたアンテナ切り替え機能を有する第１の通信方式による無線通信を行なう第１の無線通信手段と、複数のアンテナのうちのいずれかと接続されることで、第１の通信方式と異なる第２の通信方式による無線通信を行なう第２の無線通信手段とを備え、第１の無線通信手段および第２の無線通信手段のうちの何れかの無線通信手段が複数のアンテナのうちの何れかのアンテナに先に接続されるかの優先順位を設定し、この設定された優先順位に基づいて、複数のアンテナのうちの何れかのアンテナと優先順位が高い無線通信手段とを接続し、複数のアンテナのうちの優先順位が高い無線通信手段と接続されていないアンテナと優先順位が低い無線通信手段とを接続するので、複数の通信方式に対応した共用アンテナを用いた上で、各通信方式による通信をあわせて行なうことができる。
【発明を実施するための最良の形態】
【００１０】
以下、本発明をノート型パーソナルコンピュータ（以下、ノートＰＣと称する）に適用した場合の実施形態について図面を参照して説明する。  
（第１の実施形態）
まず、本発明の第１の実施形態について説明する。  
図１は、本発明の第１の実施形態にしたがったノートＰＣの外観の一例を示す図である。  
図１に示したように、本発明の第１の実施形態にしたがったノートＰＣは、本体ケース１、表示部ケース２およびヒンジ部３を有する。本体ケース１の上面１ａには、ユーザが入力操作を行なうためのキーボード４が設けられる。
【００１１】
表示部ケース２は、表示デバイスであるＬＣＤ（Ｌｉｑｕｉｄ  Ｃｒｙｓｔａｌ  Ｄｉｓｐｌａｙ：液晶ディスプレイ）５の周辺部を内側から可視可能に支持しており、このことによりＬＣＤ５はその表示面が可視可能に設けられている。
【００１２】
ヒンジ部３は、本体ケース１と表示部ケース２を接続する。ヒンジ部３は、表示部ケース２を、回動軸（図示せず）を中心に、閉状態と開状態との間で回動可能に支持する。閉状態とは、表示部ケース２がキーボード４を覆う状態である。開状態とは、キーボード４が、ユーザにより使用可能な状態に露出する状態である。
【００１３】
また、本体ケース１の側面１ｂには電源スイッチ６が設けられる。電源スイッチ６は、ノートＰＣのシステム状態（動作状態）を、ＯＳ（オペレーティングシステム）が起動している状態（以下、起動状態と称する）、およびＯＳが終了した状態（以下、シャットダウン状態と称する）の間で切り換える指示を行なうデバイスである。  
本体ケース１には、無線通信モジュール１８が内蔵される。また、表示部ケース２には、アンテナ２１およびアンテナ２２が内蔵される。無線通信モジュール１８は、ヒンジ部３を介して、アンテナ２１およびアンテナ２２と接続される。
【００１４】
また、本体ケース１の側面１ｃには、ＬＡＮ用スイッチ１９およびＢＴ（Ｂｌｕｅｔｏｏｔｈ）用スイッチ２０が設けられる。これらのスイッチの機能は後述する。
【００１５】
図２は、本発明の第１の実施形態にしたがったノートＰＣの内部回路の構成例を示すブロック図である。  
図２では、ノートＰＣの内部回路において、本発明に関連する部分の構成のみについて図示する。ノートＰＣには、該ノートＰＣ全体の制御を司るＣＰＵ１１が設けられる。ＣＰＵ１１は、ノースブリッジ（ｎｏｒｔｈ  ｂｒｉｄｇｅ：以後、ＮＢと称す）１２と接続され、ＮＢ１２は、サウスブリッジ（ｓｏｕｔｈ  ｂｒｉｄｇｅ：以後、ＳＢと称す）１３と接続される。
【００１６】
ＮＢ１２は、例えば、該ＮＢ１２に接続されるデバイスであるＣＰＵ１１との間のデータ及びアドレス変換などの処理を実行するブリッジ回路である。ＳＢ１３は、このＳＢ１３を介して接続されるデバイス間でデータの入出力処理などを実行するブリッジ回路である。また、ＮＢ１２は、ＣＰＵ１１が動作した時のワークエリアとなるメインメモリ１４と接続され、また、ＬＣＤ５と接続される。
【００１７】
ＳＢ１３は、ＢＩＯＳ−ＲＯＭ１５と接続される。ＢＩＯＳ−ＲＯＭ１５には、ノートＰＣの基本入出力制御および電源状態の管理を行なうためのプログラムが記憶される。また、ＢＩＯＳ−ＲＯＭ１５には、無線通信を行なう処理（以下、通信制御処理と称す）に係る制御処理用プログラムが記憶される。
【００１８】
ＳＢ１３は、ＨＤＤ（ハードディスクドライブ）１６と接続される。ＨＤＤ１６は、不揮発性の記憶媒体であり、ノートＰＣの電源が投入されていない状態でもデータを記憶可能なデバイスである。このＨＤＤ１６には、ＯＳおよびアプリケーションプログラムなどが記憶され、これらのプログラムを実行する際は、当該プログラムは適宜メインメモリ１４に展開される。
【００１９】
ＳＢ１３から延出されるバスには、エンベデッドコントローラ（Ｅｍｂｅｄｄｅｄ  Ｃｏｎｔｒｏｌｌｅｒ：以後、ＥＣと称す）１７が接続される。ＥＣ１７は、電源スイッチ６と接続される。ＥＣ１７は、電源スイッチ６の押下を検出すると、ノートＰＣの現在のシステム状態を判別して、該システム状態を起動状態、およびシャットダウン状態の間で遷移させる。例えば、電源スイッチ６の押下を検出したときのシステム状態がシャットダウン状態である場合には、ＥＣ１７はノートＰＣのシステム状態を起動状態に遷移させる、つまり、ノートＰＣの各デバイスに駆動電力が供給されるよう制御する。
【００２０】
また、ＥＣ１７は、無線通信モジュール１８および電源回路３１と接続される。無線通信モジュール１８はアンテナ２１，２２、ＳＢ１３、および、ＥＣ１７と接続される。アンテナ２１，２２は、２．４ＧＨｚ帯の電波の送受信を行なう。無線通信モジュール１８は、同じ周波数帯域における複数種類の通信方式による無線通信を行なうためのモジュールである。
【００２１】
複数種類の通信方式とは、ここでは２．４ＧＨｚ帯の電波を用いるワイヤレスＬＡＮ（無線ＬＡＮ）ＩＥＥＥ８０２．１１ｂ、および、２．４ＧＨｚ帯の電波を用いるブルートゥース（Ｂｌｕｅｔｏｏｔｈ）である。以後、ワイヤレスＬＡＮＩＥＥＥ８０２．１１ｂを単にワイヤレスＬＡＮと称する。ここでは、ワイヤレスＬＡＮはダイバシティ機能を有する。ダイバシティ機能とは、周囲の通信環境に応じて、ワイヤレスＬＡＮによる通信に用いるアンテナを複数のアンテナの間で切り換える機能である。
【００２２】
前述した電源回路３１は、電源コード３２を介して電源プラグ３３と接続される。電源回路３１は、ＣＰＵ１１などの各デバイスへ必要な駆動電力を供給する。
【００２３】
また、電源回路３１は、バッテリ３４と接続される。電源回路３１は、電源プラグ３３を介して外部電源が得られない場合には、バッテリ３４から駆動電力を得て、これを各デバイスに供給する。
【００２４】
図３は、本発明の第１の実施形態にしたがったノートＰＣの無線通信モジュール１８の内部回路の構成例を示すブロック図である。  
図３に示すように、無線通信モジュール１８は、スイッチ２３、ＬＡＮ用ＲＦ部２４、ＬＡＮ用ベースバンド処理部２５、ＢＴ用ＲＦ部２６、ＢＴ用ベースバンド処理部２７を備える。ＬＡＮ用ＲＦ部２４とＬＡＮ用ベースバンド処理部２５とを有するＬＡＮ通信回路４１、および、ＢＴ用ＲＦ部２６とＢＴ用ベースバンド処理部２７とを有するＢＴ通信回路４２は、同一の基板上に実装される。
【００２５】
ＬＡＮ用ＲＦ部２４はＬＡＮ用ベースバンド処理部２５と接続され、ＬＡＮ用ベースバンド処理部２５はＥＣ１７およびＳＢ１３と接続される。また、ＢＴ用ＲＦ部２６はＢＴ用ベースバンド処理部２７と接続され、ＢＴ用ベースバンド処理部２７はＥＣ１７およびＳＢ１３と接続される。
【００２６】
ＬＡＮ用ＲＦ部２４およびＬＡＮ用ベースバンド処理部２５はワイヤレスＬＡＮによる通信を行なう機能を有するデバイスである。また、ＢＴ用ＲＦ部２６およびＢＴ用ベースバンド処理部２７は、ブルートゥースによる通信を行なう機能を有するデバイスである。  ＥＣ１７（図２参照）は、ＬＡＮ用スイッチ１９またはＢＴ用スイッチ２０が押下された場合に、これを検出する。ＥＣ１７は、ＬＡＮ用スイッチ１９の押下を検出すると、ＬＡＮ通信回路４１の動作状態を判別して、該ＬＡＮ通信回路４１の動作状態をオン状態、およびオフ状態の間で遷移させる。例えば、ＥＣ１７は、ＬＡＮ用スイッチ１９の押下を検出したときの、ＬＡＮ通信回路４１の動作状態がオフ状態である、つまり、ワイヤレスＬＡＮによる通信機能の動作状態がオフ状態である場合には、ＬＡＮ通信回路４１の動作状態をオン状態に遷移させる。
【００２７】
また、ＥＣ１７は、ＢＴ用スイッチ２０の押下を検出すると、ＢＴ通信回路４２の動作状態、つまり、ブルートゥースによる通信機能の動作状態を判別して、ＢＴ通信回路４２の動作状態をオン状態、およびオフ状態の間で遷移させる。
【００２８】
スイッチ２３は、アンテナ２１および２２と接続される。スイッチ２３は、アンテナ２１からの高周波信号が、ＬＡＮ用ＲＦ部２４およびＢＴ用ＲＦ部２６のいずれか一方に出力されるようにアンテナ２１、ＬＡＮ用ＲＦ部２４およびＢＴ用ＲＦ部２６間の接続関係を可変する。
【００２９】
また、スイッチ２３は、アンテナ２２からの高周波信号が、ＬＡＮ用ＲＦ部２４およびＢＴ用ＲＦ部２６のいずれか一方に出力されるようにアンテナ２２、ＬＡＮ用ＲＦ部２４およびＢＴ用ＲＦ部２６間の接続関係を可変する。ただし、スイッチ２３は、アンテナ２１からの高周波信号およびアンテナ２２からの高周波信号があわせてＬＡＮ用ＲＦ部２４またはＢＴ用ＲＦ部２６に出力されることのないように、アンテナ２１，２２、ＬＡＮ用ＲＦ部２４およびＢＴ用ＲＦ部２６間の接続関係を可変する。
【００３０】
スイッチ２３は、ＬＡＮ用ＲＦ部２４から入力した送信用の高周波信号をアンテナ２１および２２のうち、ＬＡＮ用ＲＦ部２４と接続される方に出力する。また、スイッチ２３は、ＢＴ用ＲＦ部２６から入力した送信用の高周波信号をアンテナ２１および２２のうち、ＢＴ用ＲＦ部２６と接続される方に出力する。
【００３１】
ＬＡＮ用ＲＦ部２４は、スイッチ２３から出力される高周波信号をベースバンド信号にダウンコンバートする。また、ＬＡＮ用ＲＦ部２４は、ＬＡＮ用ベースバンド処理部２５から出力されるベースバンド信号を高周波信号にコンバートする。
【００３２】
ＬＡＮ用ベースバンド処理部２５は、ＬＡＮ用ＲＦ部２４から出力されたベースバンド信号をノートＰＣのＣＰＵ１１によって処理可能なデジタル信号に変換して、これをＳＢ１３に出力する。また、ＬＡＮ用ベースバンド処理部２５は、ＳＢ１３から送られたデジタルデータをＤ／Ａ変換し、ＬＡＮ用ＲＦ部２４に送信する。
【００３３】
無線通信モジュール１８内のＢＴ用ＲＦ部２６は、スイッチ２３から出力される高周波信号をベースバンド信号にダウンコンバートする。また、ＢＴ用ＲＦ部２６は、ＢＴ用ベースバンド処理部２７から出力されるベースバンド信号を高周波信号にコンバートする。
【００３４】
ＢＴ用ベースバンド処理部２７は、ＢＴ用ＲＦ部２６から出力されたベースバンド信号を、ノートＰＣのＣＰＵ１１によって処理可能なデジタル信号に変換して、これをＳＢ１３に出力する。また、ＢＴ用ベースバンド処理部２７は、ＳＢ１３から送られたデジタルデータをＤ／Ａ変換し、ＢＴ用ＲＦ部２６に送信する。
【００３５】
次に、本発明の第１の実施形態にしたがったノートＰＣの通信制御処理について説明する。  
図４は、本発明の第１の実施形態にしたがったノートＰＣによる通信制御処理にかかる設定用画面の一例を示す図である。  
図４に示した画面は、無線通信モジュール１８による通信を行なう際の、アンテナ選択の優先度の高い通信方式を設定するための画面である。
【００３６】
ユーザが、キーボード４に対する予め定められた操作を行なうことで、設定用画面Ｇ１（図４参照）をＬＣＤ５に表示させ、この画面Ｇ１上のＬＡＮアイコン４３を選択すると、ＳＢ１３は、アンテナ選択の優先度の高い通信方式がワイヤレスＬＡＮであり、アンテナ選択の優先度の低い通信方式がブルートゥースであること示す情報をＢＩＯＳ−ＲＯＭ１５に出力することで、この情報をＢＩＯＳ−ＲＯＭ１５に記憶させる。
【００３７】
また、設定用画面Ｇ１上のＢＴアイコン４４を選択すると、ＳＢ１３は、アンテナ選択の優先度の高い通信方式がブルートゥースであり、アンテナ選択の優先度の低い通信方式がワイヤレスＬＡＮであること示す情報をＢＩＯＳ−ＲＯＭ１５に出力することで、この情報をＢＩＯＳ−ＲＯＭ１５に記憶させる。
【００３８】
例えばワイヤレスＬＡＮを、アンテナ選択の優先度が高い通信方式として設定した場合には、本発明の第１の実施形態にしたがったノートＰＣは、ワイヤレスＬＡＮによる通信およびブルートゥースによる通信をともに行なっている際に、ワイヤレスＬＡＮ用のアンテナを、ブルートゥース用のアンテナ選択に優先して、周囲の通信環境に応じて切り換え、かつ、この切り換えの結果、ワイヤレスＬＡＮによる通信に用いていないアンテナをブルートゥース用のアンテナとして用いる。
【００３９】
図５は、本発明の第１の実施形態にしたがったノートＰＣが実行する通信制御処理の内容の一例を示すフローチャートである。  
この通信制御処理を実行するにあたり、アンテナ選択にかかる優先度が高い通信方式はワイヤレスＬＡＮに設定されており、ワイヤレスＬＡＮによる通信機能、およびブルートゥースによる通信機能の動作状態はともにオフ状態となっており、かつ、アンテナ２１および２２は、ＬＡＮ用ＲＦ部２４ともＢＴ用ＲＦ部２６とも接続されていないと仮定する。
【００４０】
まず、通信機能の動作状態のオンオフを切り換えるスイッチである、ＬＡＮ用スイッチ１９またはＢＴ用スイッチ２０の操作により、１種類の通信方式による通信機能の動作状態がオフ状態からオン状態に遷移した場合（ステップＳ１）には、動作状態がオン状態となった通信方式による通信に用いるアンテナを１つ選択する。
【００４１】
具体的には、前述のように操作されたスイッチがＬＡＮ用スイッチ１９であった場合（ステップＳ２のＹＥＳ）には、ＳＢ１３は、アンテナ２１および２２のうち、ＬＡＮ用ＲＦ部２４と接続するアンテナを周囲の通信環境に応じて選択する指示にあたる制御信号を無線通信モジュール１８のＬＡＮ用ベースバンド処理部２５に出力する。
【００４２】
ＬＡＮ用ベースバンド処理部２５は、ＳＢ１３からの制御信号を入力すると、アンテナ２１からの高周波信号のＳ／Ｎ比、および、アンテナ２２からの高周波信号のＳ／Ｎ比をそれぞれ検出し、両者を比較することで、出力信号のＳ／Ｎ比が大きいアンテナを判別する。ＬＡＮ用ベースバンド処理部２５は、アンテナ２１，２２のうち、前述のように判別したアンテナがＬＡＮ用ＲＦ部２４と接続されるようにスイッチ２３を制御する（ステップＳ３）。この処理後は、ＳＢ１３は、アンテナ２１，２２のうち、ＬＡＮ用ＲＦ部２４と接続したアンテナの種別を示す情報をメモリ１４に記憶し、かつ、ＢＩＯＳ−ＲＯＭ１５に記憶された、各通信方式の優先度の情報と、ステップＳ１の処理により動作状態がオン状態に遷移した通信機能の通信方式の情報とを照合することで、新しくオン状態に遷移した通信機能の通信方式に設定された優先度の情報を読み出して、これをメモリ１４に記憶する。
【００４３】
ステップＳ３の処理では、ＬＡＮ用ＲＦ部２４と接続するアンテナを選択するために、ＬＡＮ用ベースバンド処理部２５は、アンテナ２１からの高周波信号のＳ／Ｎ比、および、アンテナ２２からの高周波信号のＳ／Ｎ比を比較すると説明したが、これに限らず、ＬＡＮ用ベースバンド処理部２５、例えば、アンテナ２１からの高周波信号のエラー頻度、および、アンテナ２２からの高周波信号のエラー頻度をそれぞれ測定する機能を有するものとし、これら測定したエラー頻度同士を比較して、エラー頻度の低い信号の出力元のアンテナがＬＡＮ用ＲＦ部２４と接続されるるようにスイッチ２３を制御してもよい。
【００４４】
一方、ステップＳ１の処理で操作された、通信機能の動作状態のオンオフを切り換えるスイッチが、ＬＡＮ用スイッチ１９でないスイッチ、つまり、ＢＴ用スイッチ２０であった場合（ステップＳ２のＮＯ）には、ＳＢ１３は、無線通信モジュール１８に対し、アンテナ２１および２２のうち、ＢＴ用ＲＦ部２６と接続するアンテナの種別の情報を含む制御信号を出力する。
【００４５】
スイッチ２３は、ＳＢ１３からの制御信号を入力すると、アンテナ２１，２２のうち、制御信号に含まれる情報で示されるアンテナ、例えばアンテナ２１を、ＢＴ用ＲＦ部２６と接続する（ステップＳ４）。この処理後は、ＳＢ１３は、アンテナ２１，２２のうち、ＢＴ用ＲＦ部２６と接続したアンテナの種別を示す情報をメモリ１４に記憶し、かつ、ＢＩＯＳ−ＲＯＭ１５に記憶された、各通信方式の優先度の情報と、ステップＳ１の処理により動作状態がオン状態に遷移した通信機能の通信方式の情報とを照合することで、新しくオン状態に遷移した通信機能の通信方式に設定された優先度の情報を読み出して、これをメモリ１４に記憶する。
【００４６】
ステップＳ３またはＳ４の処理後は、前述したステップＳ１の処理により動作状態がオン状態に遷移した通信機能の通信方式と異なる通信方式による通信機能の動作状態が、ＬＡＮ用スイッチ１９またはＢＴ用スイッチ２０の操作によりオフ状態からオン状態に遷移した場合（ステップＳ５）には、ＥＣ１７は、操作されたスイッチがＬＡＮ用スイッチ１９であるかＢＴ用スイッチ２０であるかを判別する。
【００４７】
ＳＢ１３は、ＥＣ１７が判別したスイッチ種別に対応する通信方式を認識し、この通信方式の情報と、ＢＩＯＳ−ＲＯＭ１５に記憶された情報である、各通信方式におけるアンテナ選択の優先度の情報とを照合することで、ステップＳ５の処理により動作状態がオフ状態からオン状態に遷移した通信機能の通信方式に設定された優先度を認識する。ＳＢ１３は、この認識した優先度が、ステップＳ５の処理の前に動作状態がオン状態に遷移した通信機能の通信方式に設定された優先度より高いか否かを判別する（ステップＳ６）。
【００４８】
ステップＳ６の処理の結果「ＹＥＳ」と判別された場合、つまり、ステップＳ４の処理がなされ、かつ、ステップＳ５の処理により動作状態がオン状態となった通信機能の通信方式がワイヤレスＬＡＮであると判別された場合には、ＳＢ１３は、無線通信モジュール１８のスイッチ２３に対し、アンテナ２１および２２のうち、ＬＡＮ用ＲＦ部２４と接続するアンテナを周囲の通信環境に応じて選択する旨の制御信号を出力する。
【００４９】
スイッチ２３は、ＳＢ１３からの制御信号を入力すると、前述したステップＳ３の処理と同様に、周囲の通信環境に応じて、アンテナ２１および２２のうちいずれか１つを、ＬＡＮ用ＲＦ部２４と接続する。
【００５０】
そして、スイッチ２３は、ＢＴ用ＲＦ部２６と接続されるアンテナが、前述のようにＬＡＮ用ＲＦ部２４と接続されたアンテナと異なるアンテナとなるようにアンテナ２１，２２、ＬＡＮ用ＲＦ部２４、ＢＴ用ＲＦ部２６間の接続関係を可変する（ステップＳ７）。
【００５１】
一方、ステップＳ６の処理の結果「ＮＯ」と判別された場合、つまり、ステップＳ３の処理がなされており、かつ、ステップＳ５の処理により動作状態がオン状態となった通信機能の通信方式がブルートゥースであると判別された場合には、ＳＢ１３は、メモリ１４に記憶された情報である、スイッチ２３がＬＡＮ用ＲＦ部２４と接続したアンテナの種別を示す情報を読み出す。
【００５２】
ＳＢ１３は、スイッチ２３に対し、アンテナ２１および２２のうち、ステップＳ３の処理後にワイヤレスＬＡＮによる通信に用いられていないアンテナ、つまり、メモリ１４から読み出した情報で示される、スイッチ２３がＬＡＮ用ＲＦ部２４と接続したアンテナでないアンテナをブルートゥースによる通信に用いる旨の制御信号を出力する。  
スイッチ２３は、この制御信号を入力すると、アンテナ２１および２２のうち、制御信号含まれる情報で示されるアンテナをＢＴ用ＲＦ部２６と接続する（ステップＳ８）。
【００５３】
ステップＳ７またはＳ８の処理後、ＬＡＮ用ベースバンド処理部２５は、前述したような、アンテナ２１からの高周波信号のＳ／Ｎ比、および、アンテナ２２からの高周波信号のＳ／Ｎ比の比較を、所定の条件にしたがって、例えば予め定められた時間が経過するごとに繰り返し行なう。
【００５４】
このような、高周波信号のＳ／Ｎ比の比較を行なっていて、かつ、例えばノートＰＣを持ち運ぶ、または、ノートＰＣの周囲に障害物が置かれるなどして、ノートＰＣの周囲の通信環境が変化することで、アンテナ２１からの高周波信号のＳ／Ｎ比、および、アンテナ２２からの高周波信号のＳ／Ｎ比の大小関係が変化した場合、つまり、高い優先度が設定された通信方式であるワイヤレスＬＡＮのダイバシティ機能によるアンテナ切り換えを要する場合（ステップＳ９のＹＥＳ）には、ＬＡＮ用ベースバンド処理部２５は、スイッチ２３に対し、アンテナ２１および２２のうち、当該ＬＡＮ用ベースバンド処理部２５への出力信号のＳ／Ｎ比が大きいアンテナをＬＡＮ用ＲＦ部２４と接続するアンテナとする指示情報を含む制御信号を出力する。
【００５５】
スイッチ２３は、ＬＡＮ用ベースバンド処理部２５からの制御信号を入力すると、このＬＡＮ用ベースバンド処理部２５への出力信号のＳ／Ｎ比が大きいアンテナがＬＡＮ用ＲＦ部２４と接続されるように、アンテナ２１，２２、ＬＡＮ用ＲＦ部２４、および、ＢＴ用ＲＦ部２６間の接続関係を可変する。
【００５６】
そして、スイッチ２３は、ＢＴ用ＲＦ部２６と接続されるアンテナが、ＬＡＮ用ＲＦ部２４と新たに接続されたアンテナでないアンテナに切り換わるように、アンテナ２１，２２、ＬＡＮ用ＲＦ部２４、ＢＴ用ＲＦ部２６間の接続関係を可変する（ステップＳ１０）。
【００５７】
また、ブルートゥースによる通信機能が、周囲の通信環境に応じたアンテナ切り換えを行なう機能に対応しており、アンテナ選択にかかる優先度が高い通信方式がワイヤレスＬＡＮに設定され、かつ、ワイヤレスＬＡＮによる通信の動作状態およびブルートゥースによる通信の動作状態がともにオン状態となっている場合には、スイッチ２３は、周囲の通信環境が変化しても、出力信号のＳ／Ｎ比が大きいアンテナがＢＴ用ＲＦ部２６と接続されるように、アンテナ２１，２２、ＬＡＮ用ＲＦ部２４、ＢＴ用ＲＦ部２６間の接続関係を可変することはない。
【００５８】
以上説明したように、本発明の第１の実施形態にしたがったノートＰＣでは、ワイヤレスＬＡＮによる通信機能およびブルートゥースによる通信機能の動作状態をともにオン状態にした場合には、複数のアンテナの中からワイヤレスＬＡＮによる通信に用いるアンテナを選択し、また、周囲の通信環境に関係なく、ワイヤレスＬＡＮ用のアンテナとして用いられていないアンテナを、優先度の低い通信方式であるブルートゥース用のアンテナとする。よって、複数の通信方式に対応した共用アンテナを用いた上で、各通信方式による通信をあわせて行なうことができるようになる。
【００５９】
以上説明した例では、設定用画面Ｇ１（図４参照）上のＬＡＮアイコン４３を選択して、ワイヤレスＬＡＮを、アンテナ選択の優先度が高い通信方式として設定したが、これに限らず、周囲の通信環境に応じてアンテナ切り換えを行なうことができる通信方式ならば、他の通信方式のアイコンを設定用画面Ｇ１上に表示させて、当該アイコンを選択することで、前述した他の通信方式をアンテナ選択の優先度の高い通信方式として設定してもよい。
【００６０】
次に、本発明の第１の実施形態の第１の変形例について説明する。図６は、本発明の第１の実施形態の第１の変形例にしたがったノートＰＣの無線通信モジュール１８の内部回路の構成例を示すブロック図である。  
図２および図３に示したノートＰＣでは、スイッチ２３と接続されるアンテナは２本であり、ワイヤレスＬＡＮによる通信を行なう場合には、スイッチ２３は、これら２本のアンテナのうちいずれかをＬＡＮ用ＲＦ部２４と接続したが、この第１の変形例では、例えば図６に示したように、スイッチ２３を３本のアンテナ、つまりアンテナ２１，２２，３０をスイッチ２３と接続し、ワイヤレスＬＡＮによる通信を行なう場合には、スイッチ２３は、これら３本のアンテナのうちいずれかをＬＡＮ用ＲＦ部２４と接続する。
【００６１】
このようにスイッチ２３を３本のアンテナと接続した場合で、ワイヤレスＬＡＮによる通信とブルートゥースによる通信をともに行なう場合には、スイッチ２３は、これら３本のアンテナのうち、ＬＡＮ用ＲＦ部２４と接続されていないアンテナのうちいずれか１つをＢＴ用ＲＦ部２６と接続すればよい。なお、スイッチ２３と接続するアンテナの数は３本を超える数であってもよい。
【００６２】
次に、本発明の第１の実施形態の第２の変形例について説明する。図７は、本発明の第１の実施形態の第２の変形例にしたがったノートＰＣの内部回路の構成例を示すブロック図である。図８は、本発明の第１の実施形態の第２の変形例にしたがったノートＰＣの無線通信モジュール１８の内部回路の構成例を示すブロック図である。
【００６３】
図３に示した形態では、スイッチ２３は無線通信モジュール１８内に設けられるが、この第２の変形例では、図７および図８に示したように、スイッチ２３は、無線通信モジュール１８と別のデバイスであり、スイッチ２３と無線通信モジュール１８のＬＡＮ用ＲＦ部２４が接続され、かつ、スイッチ２３と無線通信モジュール１８のＢＴ用ＲＦ部２６とが接続される。
【００６４】
次に、本発明の第１の実施形態の第３の変形例について説明する。  
図５に示したフローチャートにしたがった処理では、ＬＡＮ用ＲＦ部２４と接続するアンテナ、および、ＢＴ用ＲＦ部２６と接続するアンテナをともに選択した後で、周囲の通信環境の変化により、ＬＡＮ用ＲＦ部２４と接続するアンテナ、および、ＢＴ用ＲＦ部２６と接続するアンテナをそれぞれ可変する処理を、ワイヤレスＬＡＮによる信号の送受信中であるか否か、もしくは、ブルートゥースによる信号の送受信中であるか否かに関わらず行なっていたが、信号の送受信中にアンテナの選択にかかる処理を行なった場合には、通信が一時的に途切れてしまい、通信効率が悪くなる。第３の変形例では、通信を途切れさせることなく、アンテナの選択にかかる処理を行なう。
【００６５】
図９は、本発明の第１の実施形態の第３の変形例にしたがったノートＰＣの無線通信モジュールの内部回路の構成を示すブロック図である。  
図９に示すように、本発明の第１の実施形態の第３の変形例にしたがったノートＰＣの無線通信モジュール１８は、図３で示した構成と比較して、スイッチ制御部５１をさらに設ける。スイッチ制御部５１は、スイッチ２３、ＬＡＮ用ベースバンド処理部２５、および、ＢＴ用ベースバンド処理部２７と接続される。
【００６６】
この変形例では、ＬＡＮ用ベースバンド処理部２５は、ワイヤレスＬＡＮによる信号の送受信を行なっていない場合には、これを示す制御信号をスイッチ制御部５１に出力する。また、ＢＴ用ベースバンド処理部２７は、ブルートゥースによる信号の送受信を行なっていない場合には、これを示す制御信号をスイッチ制御部５１に出力する。
【００６７】
図１０は、本発明の第１の実施形態の第３の変形例にしたがったノートＰＣが実行する通信制御処理の内容を示すフローチャートである。  
この変形例では、前述したステップＳ１からＳ６までの処理と同じ処理を行なう（ステップＡ１〜Ａ６）。ステップＡ６の処理で「ＹＥＳ」と判別された場合において、スイッチ制御部５１は、ＬＡＮ用ベースバンド処理部２５からの、ワイヤレスＬＡＮによる信号の送受信を行なっていない事を示す制御信号、および、ＢＴ用ベースバンド処理部２７からの、ブルートゥースによる信号の送受信を行なっていない事を示す制御信号をともに入力した場合には（ステップＡ７のＹＥＳ）には、ワイヤレスＬＡＮによる信号の送受信、および、ブルートゥースによる信号の送受信がともに行なわれていないとみなし、アンテナ選択の許可信号をスイッチ２３に出力する。
【００６８】
スイッチ２３は、前述したように、アンテナ２１および２２のうち、ＬＡＮ用ＲＦ部２４と接続するアンテナを周囲の通信環境に応じて選択する指示にあたる制御信号をＬＡＮ用ベースバンド処理部２５から入力した状態で、かつ、スイッチ制御部５１からの許可信号を入力した場合に、ＬＡＮ用ベースバンド処理部２５からの、アンテナ選択のための制御信号にしたがってアンテナ２１，２２のうち、１つのアンテナをＬＡＮ用ＲＦ部２４と接続する（ステップＡ８）。ステップＡ８の処理後は、ＢＴ用ＲＦ部２６と接続されるアンテナは当該ステップＡ８の処理を行なった際にＬＡＮ用ＲＦ部２４と接続されていないアンテナとなる。
【００６９】
一方、ステップＡ６の処理で「ＮＯ」と判別された場合には、ステップＳ８の処理と同じ処理がなされる（ステップＡ９）。ステップＡ８またはＡ９の処理後は、ステップＳ９の処理と同じ処理がなされる（ステップＡ１０）。このステップＡ１０の処理で「ＹＥＳ」と判別された場合、つまり、ＬＡＮ用ＲＦ部２４と接続するアンテナを周囲の通信環境に応じて切り換える指示にあたる制御信号をスイッチ２３がＳＢ１３から入力した場合には、前述したステップＡ７の処理と同じ処理がなされる（ステップＡ１１）。
【００７０】
このステップＡ１１の処理で「ＹＥＳ」と判別された、つまり、スイッチ２３が、スイッチ制御部５１からの許可信号を入力した場合には、スイッチ２３は、ＬＡＮ用ベースバンド処理部２５からの、アンテナ選択のための制御信号にしたがってアンテナ２１，２２のうち１つのアンテナをＬＡＮ用ＲＦ部２４と接続する（ステップＡ１２）。ステップＡ１２の処理の結果、ＢＴ用ＲＦ部２６と接続されるアンテナは、ＬＡＮ用ＲＦ部２４と接続されていないアンテナとなる。
【００７１】
以上説明したように、本発明の第１の実施形態の第３の変形例にしたがったノートＰＣでは、信号の送受信を途切れさせることなく、通信に用いるアンテナの選択にかかる処理を行なうことができる。また、この変形例では、ワイヤレスＬＡＮによる通信およびブルートゥースによる通信がともに行なわれていない場合にアンテナの選択にかかる処理を行なったが、これに限らず、例えば、アンテナ選択にかかる優先度の高い通信方式をワイヤレスＬＡＮとした場合に、このワイヤレスＬＡＮによる通信が行なわれていない場合には、他方の通信方式であるブルートゥースの通信の有無に関係なく、アンテナ選択にかかる処理を行なうようにしてもよい。
【００７２】
（第２の実施形態）
次に、本発明の第２の実施形態について説明する。なお、本実施形態に係るノートＰＣの外観の構成は、図１に示したものと基本的にほぼ同様であるので、図示および説明は省略する。
【００７３】
ここまで説明した例では、無線通信モジュール１８は、２種類の通信方式による通信、つまり、ワイヤレスＬＡＮによる通信およびブルートゥースによる通信を行なう機能を有していたが、この第２の実施形態では、無線通信モジュール１８は、ワイヤレスＬＡＮによる通信機能およびブルートゥースによる通信機能に加え、ワイヤレスＬＡＮおよびブルートゥースが対応する周波数帯域と同じ２．４ＧＨｚ帯の電波を用いる第３の無線通信方式（以後、規格Ｘと称する）による通信機能を有する。
【００７４】
図１１は、本発明の第２の実施形態にしたがったノートＰＣの内部回路の構成例を示すブロック図である。  
図１１に示すように、本発明の第２の実施形態にしたがったノートＰＣは、本発明の第１の実施形態にしたがったノートＰＣの内部回路の構成（図２参照）と比較して、規格Ｘによる通信機能の動作状態を切り換える操作を受け付ける規格Ｘ用スイッチ６０をさらに備える。規格Ｘ用スイッチ６０はＥＣ１７と接続される。  
図１２は、本発明の第２の実施形態にしたがったノートＰＣの無線通信モジュールの内部回路の構成を示すブロック図である。  
図１２に示すように、本発明の第２の実施形態にしたがったノートＰＣでは、図３で示した構成と比較して、スイッチ２３はアンテナ６３とも接続される。また、無線通信モジュール１８は、図３で示した構成と比較して、規格Ｘ用ＲＦ部６１、および、規格Ｘ用ベースバンド処理部６２を含む規格Ｘ通信回路６４をさらに備える。アンテナ６３はアンテナ２１，２２と同じアンテナである。規格Ｘ用ＲＦ部６１は規格Ｘ用ベースバンド処理部６２と接続され、規格Ｘ用ベースバンド処理部６２はＥＣ１７およびＳＢ１３と接続される。
【００７５】
規格Ｘ用ＲＦ部６１、および、規格Ｘ用ベースバンド処理部６２は、規格Ｘによる通信を行なう機能を有するデバイスである。ＥＣ１７は、規格Ｘ用スイッチ６０の押下を検出すると、規格Ｘ通信回路６４の動作状態、つまり、規格Ｘによる通信機能の動作状態を判別して、規格Ｘ通信回路６４の動作状態をオン状態、およびオフ状態の間で遷移させる。
【００７６】
スイッチ２３は、アンテナ２１からの高周波信号が、ＬＡＮ用ＲＦ部２４、ＢＴ用ＲＦ部２６および規格Ｘ用ＲＦ部６１のいずれか１つに出力されるように、アンテナ２１、ＬＡＮ用ＲＦ部２４、ＢＴ用ＲＦ部２６、および、規格Ｘ用ＲＦ部６１間の接続関係を可変する。
【００７７】
また、スイッチ２３は、アンテナ２２からの高周波信号が、ＬＡＮ用ＲＦ部２４、ＢＴ用ＲＦ部２６および規格Ｘ用ＲＦ部６１のいずれか１つに出力されるように、アンテナ２２、ＬＡＮ用ＲＦ部２４、ＢＴ用ＲＦ部２６、および、規格Ｘ用ＲＦ部６１間の接続関係を可変する。また、スイッチ２３は、アンテナ６３からの高周波信号が、ＬＡＮ用ＲＦ部２４、ＢＴ用ＲＦ部２６および規格Ｘ用ＲＦ部６１のいずれか１つに出力されるようにアンテナ６３、ＬＡＮ用ＲＦ部２４、ＢＴ用ＲＦ部２６、および、規格Ｘ用ＲＦ部６１間の接続関係を可変する。
【００７８】
ただし、スイッチ２３は、アンテナ２１からの高周波信号およびアンテナ２２からの高周波信号およびアンテナ６３からの高周波信号のうち、２種類以上の信号があわせてＬＡＮ用ＲＦ部２４、ＢＴ用ＲＦ部２６または規格Ｘ用ＲＦ部６１のうち１つ以上に出力されることがないように、アンテナ２１，２２，６３、ＬＡＮ用ＲＦ部２４、ＢＴ用ＲＦ部２６、および、規格Ｘ用ＲＦ部６１間の接続関係を可変する。
【００７９】
スイッチ２３は、ＬＡＮ用ＲＦ部２４から入力した信号をアンテナ２１，２２，６３のいずれかに出力する。また、スイッチ２３は、ＢＴ用ＲＦ部２６から入力した信号をアンテナ２１，２２，６３のいずれかに出力する。また、スイッチ２３は、規格Ｘ用ＲＦ部６１から入力した信号をアンテナ２１，２２，６３のいずれかに出力する。
【００８０】
規格Ｘ用ＲＦ部６１は、スイッチ２３から出力される高周波信号をベースバンド信号にダウンコンバートする。また、規格Ｘ用ＲＦ部６１は、規格Ｘ用ベースバンド処理部６２から出力されるベースバンド信号を高周波信号にコンバートする。
【００８１】
規格Ｘ用ベースバンド処理部６２は、規格Ｘ用ＲＦ部６１から出力されたベースバンド信号をＡ／Ｄ変換して、ノートＰＣのＣＰＵ１１によって処理可能なデジタル信号に変換して、これをＳＢ１３に出力する。また、規格Ｘ用ベースバンド処理部６２は、ＳＢ１３から送られたデジタルデータをＤ／Ａ変換してアナログ信号に変換し、規格Ｘ用ＲＦ部６１に送信する。
【００８２】
前述したような、アンテナ選択にかかる優先度の設定は、この第２の実施形態でも同様に行なう。ただし、ここでは通信方式が３種類であるので、優先度の高低ではなく、第１の優先度にある通信方式、第２の優先度にある通信方式、および、第３の優先度にある通信方式をそれぞれ設定する。
【００８３】
次に、本発明の第２の実施形態にしたがったノートＰＣの通信制御処理について説明する。  
図１３は、本発明の第２の実施形態にしたがったノートＰＣによる通信制御処理にかかる設定用画面の一例を示す図である。
【００８４】
図１３に示した設定用画面は、無線通信モジュール１８による通信を行なう際の、第１，第２，および第３の優先度にそれぞれ対応する通信方式を設定するための画面である。
【００８５】
ユーザが、キーボード４に対する予め定められた操作を行なうことで、設定用画面Ｇ２（図１３参照）をＬＣＤ５に表示させ、各通信方式の、アンテナ選択の優先度を示す数字をそれぞれ入力した後に、画面Ｇ２上のＯＫアイコン６５を選択すると、ＳＢ１３は、アンテナ選択の優先度が１番目である通信方式、アンテナ選択の優先度が２番目である通信方式、および、アンテナ選択の優先度が３番目である通信方式を示す情報を、ＢＩＯＳ−ＲＯＭ１５に出力することで、この情報をＢＩＯＳ−ＲＯＭ１５に記憶させる。
【００８６】
優先度を示す数字をそれぞれ入力する場合には、設定用画面Ｇ２における、優先度の最も高い通信方式の項目に“１”を入力し、２番目に優先度の高い通信方式の項目に“２”を入力し、３番目に優先度の高い通信方式、つまり優先度が最も低い通信方式の項目に“３”を入力する。
【００８７】
本発明の第１の実施形態の第２の変形例にしたがったノートＰＣは、ワイヤレスＬＡＮを含む３種類の通信方式による通信機能の動作状態が全てオン状態である際に、ワイヤレスＬＡＮに用いるアンテナを、他の通信方式による通信用のアンテナ選択に優先して、周囲の通信環境に応じて切り換え、かつ、この切り換えによりワイヤレスＬＡＮによる通信に用いていない残り２つのアンテナのうち１つを、規格Ｘ用のアンテナ選択に優先してブルートゥース用のアンテナとして用い、かつ、ワイヤレスＬＡＮによる通信およびブルートゥースによる通信に用いていない残り１つのアンテナを規格Ｘ用のアンテナとして用いる。
【００８８】
図１４は、本発明の第２の実施形態にしたがったノートＰＣが実行する通信制御処理の内容を示すフローチャートである。  
この通信制御処理を実行するに当たり、図１３に示したように、ワイヤレスＬＡＮを、アンテナ選択の第１の優先度にある通信方式として設定し、ブルートゥースを、アンテナ選択の第２の優先度にある通信方式として設定し、かつ、規格Ｘを、アンテナ選択の第３の優先度にある通信方式として設定したと仮定する。ここで、各通信方式に設定する優先度の組み合せは、周囲の通信環境に応じたアンテナ切り換えを行なう機能に対応する通信方式に第１の優先度が設定されていれば、別の組み合せであってもよい。
【００８９】
本発明の第２の実施形態では、ノートＰＣは、前述したステップＳ１からＳ５までの処理と同じ処理を行なう（ステップＢ１〜Ｂ５）。  
ただし、ＬＡＮ用ＲＦ部２４、ＢＴ用ＲＦ部２６、および規格Ｘ用ＲＦ部６１との接続対象となるアンテナは、アンテナ２１，２２，６３のいずれかである。また、ステップＳ１の処理により動作状態がオン状態となった通信方式が規格Ｘであった場合には、ステップＢ４の処理として、ＳＢ１３は、無線通信モジュール１８のスイッチ２３に対し、アンテナ２１，２２，６３のうち、規格Ｘ用ＲＦ部６１と接続するアンテナの種別の情報を含む制御信号を出力する。
【００９０】
スイッチ２３は、ＳＢ１３からの制御信号を入力すると、アンテナ２１，２２，６３のうち、入力した制御信号に含まれる情報で示される１つを規格Ｘ用ＲＦ部６１と接続する。この処理後は、ＳＢ１３は、ステップＳ１の処理により動作状態がオン状態となった通信方式に設定された優先度の情報をメモリ１４から読み出し、この情報と、前述のように接続したアンテナの種別を示す情報とを関連付けてメモリ１４に記憶する。
【００９１】
そして、ステップＢ５の処理後、ステップＢ６の処理で「ＹＥＳ」と判別された場合、つまり、ステップＢ５の処理により動作状態が新しくオン状態に遷移した通信機能の通信方式に設定された優先度が“１”である場合には、ＳＢ１３は、スイッチ２３に対し、全てのアンテナ、つまり、アンテナ２１，２２，６３のうち１つを、ＬＡＮ用ＲＦ部２４、ＢＴ用ＲＦ部２６、および規格Ｘ用ＲＦ部６１のうち、前述のように動作状態が新しくオン状態に遷移した通信機能の通信方式による通信に用いるデバイスと接続する指示にあたる制御信号を出力する。
【００９２】
スイッチ２３は、ＳＢ１３からの制御信号を入力すると、アンテナ２１，２２，６３のうち周囲の通信環境に応じて決定されたアンテナと、ＬＡＮ用ＲＦ部２４、ＢＴ用ＲＦ部２６、および規格Ｘ用ＲＦ部６１のうち、ステップＢ５の処理により動作状態が新しくオン状態に遷移した通信機能の通信方式による通信を行なうためのデバイスとを接続する（ステップＢ７）。
【００９３】
一方、ステップＢ６の処理で「ＮＯ」と判別された場合、つまり、動作状態が新しくオン状態に遷移した通信機能の通信方式に設定された優先度が、“１”でない場合には、ＳＢ１３は、アンテナ２１，２２，６３のうち、ＬＡＮ用ＲＦ部２４、ＢＴ用ＲＦ部２６、および規格Ｘ用ＲＦ部６１のいずれかと既に接続されているアンテナ以外のなかの１つの種別を示す情報を含む制御信号をスイッチ２３に出力する。
【００９４】
スイッチ２３は、ＳＢ１３からの制御信号を入力すると、この制御信号に含まれる情報で示される種別のアンテナと、ＬＡＮ用ＲＦ部２４、ＢＴ用ＲＦ部２６、および規格Ｘ用ＲＦ部６１のうち、ステップＢ５の処理により動作状態がオン状態に遷移した通信機能の通信方式による通信を行なうためのデバイスとを接続する（ステップＢ８）。
【００９５】
ただし、メモリ１４に記憶された情報に、新しく動作状態がオン状態に遷移した通信機能の通信方式の情報に設定された優先度より低い優先度が設定された通信方式の情報が、既にオン状態に遷移した通信機能の通信方式の情報として含まれている場合には、新しく動作状態がオン状態に遷移した通信機能の通信方式による通信を行なうための、ＬＡＮ用ＲＦ部２４、ＢＴ用ＲＦ部２６、および規格Ｘ用ＲＦ部６１のいずれかと接続されたアンテナを当該ステップＢ７の処理による接続対象としてもよい。
【００９６】
また、ＬＡＮ用ＲＦ部２４、ＢＴ用ＲＦ部２６、および規格Ｘ用ＲＦ部６１のいずれかのデバイスと既に接続されていたアンテナが、ステップＢ７またはＢ８の処理により接続対象となったアンテナとなった場合には、スイッチ２３は、ＳＢ１３からの制御信号にしたがって、このデバイスと接続されるアンテナを、ＬＡＮ用ＲＦ部２４、ＢＴ用ＲＦ部２６、および規格Ｘ用ＲＦ部６１のいずれとも接続されていないアンテナの１つに切り換える。
【００９７】
ステップＢ７またはＢ８の処理後は、ワイヤレスＬＡＮの動作状態がオン状態に遷移しており、かつ、前述した第１の実施形態と同様に、高周波信号のＳ／Ｎ比の比較を行なった結果、アンテナ２１からの高周波信号のＳ／Ｎ比、および、アンテナ２２からの高周波信号のＳ／Ｎ比の大小関係が変化した場合、つまり、ワイヤレスＬＡＮのダイバシティ機能によるアンテナ切り換えを要する場合（ステップＢ９のＹＥＳ）には、ＬＡＮ用ベースバンド処理部２５は、スイッチ２３に対し、アンテナ２１，２２，６３のうち、ＬＡＮ用ＲＦ部２４と接続するアンテナを選択する指示にあたる制御信号を出力する。スイッチ２３は、ＬＡＮ用ベースバンド処理部２５からの制御信号を入力すると、ＬＡＮ用ＲＦ部２４と接続するアンテナを１つ選択する（ステップＢ１０）。
【００９８】
このステップＢ１０の処理を行なった結果、ＢＴ用ＲＦ部２６と接続されるアンテナ、および、規格Ｘ用ＲＦ部６１と接続されるアンテナは、当該ステップＢ１０の処理によりＬＡＮ用ＲＦ部２４と新たに接続されたアンテナでないアンテナとなる。
【００９９】
また、ステップＢ１０の処理後、または、ステップＢ９の処理で「ＮＯ」と判別された場合で、ＬＡＮ用スイッチ１９、ＢＴ用スイッチ２０および規格Ｘ用スイッチ６０のいずれかが操作されることで、動作状態がまだオフ状態であった通信機能の動作状態がオン状態に遷移した場合（ステップＢ１１のＹＥＳ）には、ＥＣ１７は、操作されたスイッチがＬＡＮ用スイッチ１９、ＢＴ用スイッチ２０、および規格Ｘ用スイッチ６０のいずれであるかを判別する。
【０１００】
ＳＢ１３は、ＥＣ１７が判別したスイッチ種別および、ＢＩＯＳ−ＲＯＭ１５に記憶された情報である、各通信方式におけるアンテナ選択の優先度の情報を照合することで、ステップＢ１１の処理により動作状態が新しくオン状態に遷移した通信機能の通信方式に設定された優先度が、当該ステップＢ１１の処理の前に動作状態がオン状態に遷移した通信機能の通信方式に設定された優先度より高いか否かを判別する（ステップＢ１１→Ｂ６）。
【０１０１】
以後はステップＢ７〜Ｂ１０の処理、つまり、ステップＳ７〜Ｓ１０までの処理と同じ処理を再度行なう。また、ステップＢ１１の処理で「ＮＯ」と判別された場合には、ステップＢ９，Ｂ１０の処理、つまりステップＳ９，Ｓ１０と同じ処理を再度行なう。
【０１０２】
以上説明したように、本発明の第２の実施形態にしたがったノートＰＣでは、２種類を超える通信方式に対応する共用アンテナを用いた場合でも、各通信方式による通信をあわせて行なうことができる。
【０１０３】
また、この第２の実施形態では、スイッチ２３と接続するアンテナの数は３本であると説明したが、これに限らず、無線通信モジュール１８が実行できる通信方式の種類の数、つまり３本以上であれば、これを越える数であってもよい。また、無線通信モジュール１８は、４種類以上の通信方式による通信をそれぞれ行なう形態であってもよく、この場合には、スイッチ２３と接続するアンテナの数を、無線通信モジュール１８が実行できる通信方式の種類の数以上とすればよい。
【０１０４】
（第３の実施形態）
次に、本発明の第３の実施形態について説明する。なお、本実施形態に係るノートＰＣの外観の構成は、図１に示したものと基本的にほぼ同様であるので、図示および説明は省略する。
【０１０５】
本発明の第１の実施形態にしたがったノートＰＣでは、ワイヤレスＬＡＮによる通信を行なう回路、および、ブルートゥースによる通信を行なう回路を同一基板上に実装していたのに対し、本発明の第３の実施形態にしたがったノートＰＣでは、ワイヤレスＬＡＮによる通信を行なう回路を実装した基板、および、ブルートゥースによる通信を行なう基板が異なる。
【０１０６】
図１５は、本発明の第３の実施形態にしたがったノートＰＣの内部回路の構成例を示すブロック図である。  
図１５に示すように、本発明の第３の実施形態にしたがったノートＰＣは、本発明の第１の実施形態にしたがったノートＰＣの内部回路の構成（図２参照）と比較して、無線通信モジュール１８を備える代わりに、ＬＡＮ用通信モジュール７０およびＢＴ用通信モジュール７１を備える。ＬＡＮ用通信モジュール７０は中継ケーブル７２を介してＢＴ用通信モジュール７１と接続される。ＬＡＮ用通信モジュール７０およびＢＴ用通信モジュール７１は、ＳＢ１３およびＥＣ１７と接続される。
【０１０７】
図１６は、本発明の第３の実施形態にしたがったノートＰＣのＬＡＮ用通信モジュール７０およびＢＴ用通信モジュール７１の内部回路の構成例を示すブロック図である。  
図１６に示すように、ＬＡＮ用通信モジュール７０は、スイッチ２３（図３参照）と同じスイッチ７３を備える。ＬＡＮ用通信モジュール７０はＬＡＮ通信回路７８を備える。ＬＡＮ通信回路７８は、ＬＡＮ用ＲＦ部７４、および、ＬＡＮ用ベースバンド処理部７５を有する。ＬＡＮ用ＲＦ部７４はＬＡＮ用ＲＦ部２４（図３参照）と同じデバイスである。ＬＡＮ用ベースバンド処理部７５は、ＬＡＮ用ベースバンド処理部２５（図３参照）と同じデバイスである。スイッチ７３はアンテナ２１，２２と接続される。また、スイッチ７３は、ＬＡＮ用ＲＦ部７４、ＬＡＮ用ベースバンド処理部７５を介してＥＣ１７およびＳＢ１３と接続される。
【０１０８】
また、ＢＴ用通信モジュール７１は、ＢＴ通信回路７９を備える。ＢＴ通信回路７９はＢＴ用ＲＦ部７６およびＢＴ用ベースバンド処理部７７を有する。ＢＴ用ＲＦ部７６はＢＴ用ＲＦ部２６（図３参照）と同じデバイスである。ＢＴ用ベースバンド処理部７７はＢＴ用ベースバンド処理部２７（図３参照）と同じデバイスである。
【０１０９】
ＢＴ用ＲＦ部７６は、中継ケーブル７２を介して、ＬＡＮ用通信モジュール７０のスイッチ７３と接続される。また、ＢＴ用ＲＦ部７６はＢＴ用ベースバンド処理部７７を介してＥＣ１７およびＳＢ１３と接続される。
【０１１０】
スイッチ７３は、アンテナ２１からの高周波信号が、ＬＡＮ用ＲＦ部７４およびＢＴ用ＲＦ部７６のいずれか一方に出力されるようにアンテナ２１、ＬＡＮ用ＲＦ部７４およびＢＴ用ＲＦ部７６間の接続関係を可変する。
【０１１１】
また、スイッチ７３は、アンテナ２２からの高周波信号が、ＬＡＮ用ＲＦ部７４およびＢＴ用ＲＦ部７６のいずれか一方に出力されるようにアンテナ２２、ＬＡＮ用ＲＦ部７４およびＢＴ用ＲＦ部７６間の接続関係を可変する。ただし、スイッチ７３は、アンテナ２１からの高周波信号およびアンテナ２２からの高周波信号があわせてＬＡＮ用ＲＦ部７４またはＢＴ用ＲＦ部７６に出力されることがないように、アンテナ２１，２２、ＬＡＮ用ＲＦ部７４およびＢＴ用ＲＦ部７６間の接続関係を可変する。
【０１１２】
本発明の第３の実施形態にしたがったノートＰＣは、第１の実施形態にしたがったノートＰＣの無線通信モジュール１８（図２参照）を、ＬＡＮ用通信モジュール７０およびＢＴ用通信モジュール７１に分割して、それぞれを中継ケーブル７２で接続したものであるので、第３の実施形態にしたがったノートＰＣが行なう通信制御処理の内容は、第１の実施形態にしたがったノートＰＣが行なう通信制御処理の内容と同じである。
【０１１３】
つまり、本発明の第３の実施形態にしたがったノートＰＣは、例えばスペース上の制約により、ワイヤレスＬＡＮによる通信を行なう回路、および、ブルートゥースによる通信を行なう回路を同一基板上に実装できない場合でも、複数の通信方式に対応した共用アンテナを用いた上で、各通信方式による通信をあわせて行なうことができる。
【０１１４】
図１６に示した形態では、スイッチ７３はＬＡＮ用通信モジュール７０内に設けられるが、これに限らず、例えばスイッチ７３をＢＴ用通信モジュール７１内に設けた上で、このスイッチ７３とＬＡＮ用通信モジュール７０のＬＡＮ用ＲＦ部７４とをケーブルで接続してもよい。
【０１１５】
図１７は、本発明の第３の実施形態にしたがったノートＰＣの内部回路の別の構成例を示すブロック図である。図１８は、本発明の第３の実施形態にしたがったノートＰＣのＬＡＮ用通信モジュール７０およびＢＴ用通信モジュール７１の内部回路の別の構成例を示すブロック図である。
【０１１６】
図１７および図１８に示したように、スイッチ７３をＬＡＮ用通信モジュール７０内に設けずに、かつ、スイッチ７３とＬＡＮ用通信モジュール７０のＬＡＮ用ＲＦ部７４とを中継ケーブル８０で接続し、かつ、スイッチ７３とＢＴ用通信モジュール７１のＢＴ用ＲＦ部７６とを中継ケーブル７２で接続する形態であってもよい。
【０１１７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【０１１８】
【図１】本発明の第１の実施形態にしたがったノートＰＣの外観の一例を示す図。
【図２】本発明の第１の実施形態にしたがったノートＰＣの内部回路の構成例を示すブロック図。
【図３】本発明の第１の実施形態にしたがったノートＰＣの無線通信モジュールの内部回路の構成例を示すブロック図。
【図４】本発明の第１の実施形態にしたがったノートＰＣによる通信制御処理にかかる設定用画面の一例を示す図。
【図５】本発明の第１の実施形態にしたがったノートＰＣが実行する通信制御処理の内容を示すフローチャート。
【図６】本発明の第１の実施形態の第１の変形例にしたがったノートＰＣの無線通信モジュールの内部回路の構成例を示すブロック図。
【図７】本発明の第１の実施形態の第２の変形例にしたがったノートＰＣの内部回路の構成例を示すブロック図。
【図８】本発明の第１の実施形態の第２の変形例にしたがったノートＰＣの無線通信モジュールの内部回路の構成例を示すブロック図。
【図９】本発明の第１の実施形態の第３の変形例にしたがったノートＰＣの無線通信モジュールの内部回路の構成を示すブロック図。
【図１０】本発明の第１の実施形態の第３の変形例にしたがったノートＰＣが実行する通信制御処理の内容を示すフローチャート。
【図１１】本発明の第２の実施形態にしたがったノートＰＣの内部回路の構成例を示すブロック図。
【図１２】本発明の第２の実施形態にしたがったノートＰＣの無線通信モジュールの内部回路の構成を示すブロック図。
【図１３】本発明の第２の実施形態にしたがったノートＰＣによる通信制御処理にかかる設定用画面の一例を示す図。
【図１４】本発明の第２の実施形態にしたがったノートＰＣが実行する通信制御処理の内容を示すフローチャート。
【図１５】本発明の第３の実施形態にしたがったノートＰＣの内部回路の構成例を示すブロック図。
【図１６】本発明の第３の実施形態にしたがったノートＰＣのＬＡＮ用通信モジュールおよびＢＴ用通信モジュールの内部回路の構成例を示すブロック図。
【図１７】本発明の第３の実施形態にしたがったノートＰＣの内部回路の別の構成例を示すブロック図。
【図１８】本発明の第３の実施形態にしたがったノートＰＣのＬＡＮ用通信モジュールおよびＢＴ用通信モジュールの内部回路の別の構成例を示すブロック図。
【符号の説明】
【０１１９】
１…本体ケース、２…表示部ケース、３…ヒンジ部、４…キーボード、５…ＬＣＤ（Ｌｉｑｕｉｄ  Ｃｒｙｓｔａｌ  Ｄｉｓｐｌａｙ：液晶ディスプレイ）、６…電源スイッチ、１１…ＣＰＵ、１２…ＮＢ（ｎｏｒｔｈ  ｂｒｉｄｇｅ：ノースブリッジ）、１３…ＳＢ（ｓｏｕｔｈ  ｂｒｉｄｇｅ：サウスブジッジ）、１４…メインメモリ、１５…ＢＩＯＳ−ＲＯＭ、１６…ＨＤＤ、１７…ＥＣ（Ｅｍｂｅｄｄｅｄ  Ｃｏｎｔｒｏｌｌｅｒ：エンベデッドコントローラ）、１８…無線通信モジュール、１９…ＬＡＮ用スイッチ、ＢＴ用スイッチ、２１，２２，３０，６３…アンテナ、２３，７３…スイッチ、２４，７４…ＬＡＮ用ＲＦ部、２５，７５…ＬＡＮ用ベースバンド処理部、２６，７６…ＢＴ（Ｂｌｕｅｔｏｏｔｈ）用ＲＦ部、２７，７７…ＢＴ用ベースバンド処理部、３１…電源回路、３２…電源コード、３３…電源プラグ、３４…バッテリ、４１，７８…ＬＡＮ通信回路、４２，７９…ＢＴ通信回路、５１…スイッチ制御部、６０…規格Ｘ用スイッチ、６１…規格Ｘ用ＲＦ部、６２…規格Ｘ用ベースバンド処理部、６４…規格Ｘ通信回路、７０…ＬＡＮ用通信モジュール、７１…ＢＴ用通信モジュール、７２，８０…中継ケーブル。
【図１】
2006186865.tif 000003
【図２】
2006186865.tif 000004
【図３】
2006186865.tif 000005
【図４】
2006186865.tif 000006
【図５】
2006186865.tif 000007
【図６】
2006186865.tif 000008
【図７】
2006186865.tif 000009
【図８】
2006186865.tif 000010
【図９】
2006186865.tif 000011
【図１０】
2006186865.tif 000012
【図１１】
2006186865.tif 000013
【図１２】
2006186865.tif 000014
【図１３】
2006186865.tif 000015
【図１４】
2006186865.tif 000016
【図１５】
2006186865.tif 000017
【図１６】
2006186865.tif 000018
【図１７】
2006186865.tif 000019
【図１８】
2006186865.tif 000020